(57)【要約】【課題】  特殊な充填機に掛けることなく自動充填を行う事が出来、且つ煩雑な再封作業を伴うことなく何度も蓋の開閉を行うことができる包装用箱及びその展開シートの提供。【解決手段】  側部は、左右側面４，６と前後側面５，３を備え、蓋部は、後側面３の端縁から延出する後封止片２に、前側面５の端縁から延出する前封止片１を貼着してなり、左右側面４，６は、その端縁から延出し開口部に向けて折る左右フラップ１２、１３を備え、前記前側面５は、その上部に前封止片１を分断する開封用破断線８ａを備え、前記後封止片２は、その端縁から延出し裏面側へ折り重なる舌片９を備え、前記舌片９に、後封止片２側の差込部９ａとその先端側の糊代部９ｂを備え、前記糊代部９ｂのみを後封止片２の裏面に貼着する包装用箱。【選択図】      図１
2014189296.tif 000002
【特許請求の範囲】
【請求項１】
四方を封じる側部とそれらの端縁に囲まれる開口部を封じる蓋部及び底部を具備する一連の展開シートを組み立ててなり、
前記側部は、左右側面と前後側面を備え、
前記蓋部は、後側面の端縁から延出する後封止片に、前側面の端縁から延出する前封止片を貼着してなり、
左右側面は、その端縁から延出し開口部に向けて折る左右フラップを備え、
前記前側面は、その上部に前記前封止片を分断する開封用破断線を備え、
前記後封止片は、その端縁から延出し裏側へ折り重なる舌片を備え、
前記舌片に、前記封止片側の差込部とその先端側の糊代部を備え、
前記糊代部のみを前記後封止片の裏面に貼着することを特徴とする包装用箱。
【請求項２】
前記開封用破断線は、その両端部に前記前側面と前封止片との境界線に沿う開封線を備えると共に、その中間部に前記前側面の中央に向けて膨出する突入部を備え、
前記舌片における前記差込部と糊代部の境界部に指先が掛かる切欠部を備えることを特徴とする前記請求項１に記載の包装用箱。
【請求項３】
四方を封じる側部とそれらの端縁に囲まれる開口部を封じる蓋部及び底部を具備する一連の展開シートであって、
前記側部は、左右側面と前後側面を備え、
前記前側面は、当該前側面の端縁から延出する前封止片を備えると共に、当該前側面の上部に前記前封止片を分断する開封用破断線を備え、
前記後側面は、その端縁から延出する後封止片を備え、
前記左右側面は、その端縁から延出し開口部に向けて折る左右フラップを備え、
前記後封止片は、その端縁から延出し裏側へ折り重なる舌片を備え、
前記舌片に、前記封止片側の差込部とその先端側の糊代部を備えることを特徴とする包装用箱用展開シート。
【請求項４】
前記開封用破断線は、その両端部に前記前側面と前封止片との境界線に沿う開封線を備えると共に、その中間部に前記前側面の中央に向けて膨出する突入部を備え、
前記舌片における前記差込部と糊代部の境界部に指先が掛かる切欠部を備えることを特徴とする前記請求項３に記載の包装用箱用展開シート。
【発明の詳細な説明】
【技術分野】
【０００１】
本発明は、例えば、薬剤や化粧品などを封入した瓶などを収容する包装用箱及びその展開シートに関し、特に、開封後に再閉鎖可能な蓋部の構造に関する。
【背景技術】
【０００２】
従来、上記包装用箱を開封には、例えば、ジッパー（破断部）を取り除いて開封し、再封の際は、開閉可能な蓋部の一辺に予め設けておいたフラップを、他片の切込みに差し入れる手法（例えば、下記特許文献１参照）が紹介されている。
左右フラップの前縁と箱開口部の前縁との隙間に、蓋部先端の差込片を挿し入れて封鎖状態を維持するタイプにあっては、先端に差込み片を抜き差しすることによって、何度も開封が可能となる（例えば、下記特許文献２参照）。
【先行技術文献】
【特許文献】
【０００３】
【特許文献１】特許第４３０３９９０号公報
【特許文献２】実用新案登録第３１７７４７７号公報
【発明の概要】
【発明が解決しようとする課題】
【０００４】
しかしながら、前記特許文献１に記載の手法にあっては、再封の際に一々他片の切込みにフラップを挿し入れるという煩雑な作業が伴うという問題があり、前記特許文献２に記載の手法にあっては、内容器を自動充填する際に、封止片の先端から延出する前記差込片が邪魔となり、特殊な充填機に掛けない限り自動充填が困難であるという問題がある。
【０００５】
本発明は、上記実情に鑑みてなされたものであって、特殊な充填機に掛けることなく自動充填を行う事が出来、且つ煩雑な再封作業を伴うことなく何度も蓋の開閉を行うことができる包装用箱及びその展開シートの提供を目的とする。
【課題を解決するための手段】
【０００６】
上記課題を解決すべく為された本発明による包装用箱は、四方を封じる側部とそれらの端縁に囲まれる開口部を封じる蓋部及び底部を具備する一連の展開シートを組み立ててなり、前記側部は、左右側面と前後側面を備え、前記蓋部は、後側面の端縁から延出する後封止片に、前側面の端縁から延出する前封止部を貼着してなり、前記左右側面は、その端縁から延出し開口部に向けて折る左右フラップを備え、前記前側面は、その上部に前記前封止片を分断する開封用破断線を備え、前記後封止片は、その端縁から延出し裏側へ折り重なる舌片を備え、前記舌片に、前記封止片側の差込部とその先端側の糊代部を備え、前記糊代部のみを前記後封止片の裏面に貼着することを特徴とする。
【０００７】
前記開封用破断線については、その両端部に前記前側面と前封止片との境界線に沿う開封線を備えると共に、その中間部に前記前側面の中央に向けて膨出する突入部を備え、前記差込片における前記差込部と糊代部の境界部に指先が掛かる切欠部を備える構造を採っても良い。
尚、ここで、前記開封用破断線とは、当該包装用容器を開封する際に、開口部を形成すべく側部の上縁の一部に断続的に切込みを入れる等して他の部分よりも脆弱にした線である。
【０００８】
上記課題を解決すべく為された本発明による包装用箱用展開シートは、四方を封じる側部とそれらの端縁に囲まれる開口部を封じる蓋部及び底部を具備する一連の展開シートであって、前記側部は、左右側面と前後側面を備え、前記前側面は、当該前側面の端縁から延出する前封止部を備えると共に、当該前側面の上部に前記前封止片を分断する開封用破断線を備え、前記後側面は、その端縁から延出する後封止片を備え、前記左右側面は、その端縁から延出し開口部に向けて折る左右フラップを備え、前記後封止片は、その端縁から延出し裏側へ折り重なる舌片を備え、前記舌片に、前記封止片側の差込部とその先端側の糊代部を備えることを特徴とする。
【０００９】
前記開封用破断線は、その両端部に前記前側面と前封止片との境界線に沿う開封線を備えると共に、その中間部に前記前側面の中央に向けて膨出する突入部を備え、前記舌片における前記差込部と糊代部の境界部に指先が掛かる切欠部を備える構造を採っても良い。
【発明の効果】
【００１０】
本発明による包装用箱及びその展開シートによれば、再封の際に一々他片の切込みにフラップを挿し入れるという煩雑な作業を伴うことなく、封止片の先端から延出する差込部を開口部に差し入れさえすれば、左右側面の端縁から延出する左右フラップと相俟って確実に再封鎖を行うことができ、何度も蓋の開閉を行うことができる。
【００１１】
また、前記差込部は、内容物の充填時においては、前記舌片として封止片と一体化しているため、内容器を自動充填する際に、封止片の先端から延出する前記差込部が邪魔となり、特殊な充填機に掛けない限り自動充填が困難であるという問題も解消される。
【図面の簡単な説明】
【００１２】
【図１】本発明による包装用箱の一例を示す斜視図である。
【図２】本発明による包装用箱の開封及び再封鎖の過程の一例を示す断面図である。
【図３】本発明による包装用箱の開封及び再封鎖の過程の一例を示す正面図である。
【図４】本発明による包装用箱の封鎖過程の一例を示す平面図である。
【図５】本発明による包装用箱の仕掛シートの組み立て過程の一例を示す平面図である。
【図６】本発明による包装用箱の展開シートの一例を示す正面図、平面図、及び背面図である。
【図７】本発明による包装用箱の展開シートの一例を示す右側面図及び左側面図である。
【図８】本発明による包装用箱の一例を示す六面図である。
【発明を実施するための形態】
【００１３】
以下、本発明による包装用箱の実施の形態を、その展開シートの実施の形態と共に、詳細に説明する。
図１に示す包装用箱は、四方を封じる側部とそれらの端縁に囲まれる開口部を封じる蓋部及び底部を具備する一連の展開シートを組み立ててなる。
当該例において、前記側部は長方形状の４つの側面からなり、前記蓋部及び底部は、前封止片１ａ，１ｂ及び後封止片２ａ，２ｂからなる。
【００１４】
＜展開シート＞
図６及び図７に示す展開シートは、四方を封じる後側面３、左側面４、前側面５、及び右側面６を順に連設し、更に、後側面３の側縁に沿って右側面６の側縁部裏面に貼着する糊代７を延設したものである。
前記前側面５は、その上部及び下部に、前記蓋部及び底部各々の前封止片１ａ，１ｂを分断する開封用破断線８ａ，８ｂを備えると共に、当該前側面５の上下端縁からそれぞれ前記前封止片１ａ，１ｂを延出する。
前記開封用破断線８ａ，８ｂは、それぞれ左右両端部に、前記前側面５と前封止片１ａ，１ｂとの境界線に沿う開封線ｘ，ｘを備えると共に、その中間部に、左右開封線ｘ，ｘの内側端部に続いて前記前側面５の中央に向けて指先サイズで方形状に膨出する突入部ｙを備える。
【００１５】
前記後側面３は、その上下端縁から前記後封止片２ａ，２ｂ延出する。
前記後側面３の上位端縁から延出する後封止片２ａは、その端縁から延出し裏側へ折り重なる舌片９を備え、当該舌片９は、前記後封止片２ａ側の差込部９ａとその先端側の糊代部９ｂを備える。
【００１６】
前記差込部９ａと前記糊代部９ｂの境界は、間欠的に切込みが連続する抜出用破断線１０で仕切り、当該抜出用破断線１０は、前記後封止片２ａの先端縁から差込片として再封鎖を維持できる十分な深さを前記差込部９ａの内部に向けて確保した上で、前記差込部９ａと前記糊代部９ｂの境界と平行に設ける。
また、当該抜出用破断線１０の切断によって抜き出された差込部９ａの前記開口部への差し入れを容易にすべく、前記抜出用破断線１０の左右側端部は、前記糊代部９ｂに向かって先細りとなる様に切り込む。
前記抜出用破断線１０の中央部にあっては、指先が掛かる楕円状又は方形状の切欠部１１を備えることが望ましい。
【００１７】
前記左右側面４，６は、その上下端縁から延出し開口部に向けて折る左右フラップ１２Ｌ，１２Ｒ，１３Ｌ，１３Ｒを備える。
各フラップ１２Ｌ，１２Ｒ，１３Ｌ，１３Ｒは、略台形状を呈し、前記前側面５及び後側面３の幅に対して、各々略半分に至る長さとする。
【００１８】
＜組み立て＞
前記展開シートは、相隣接する前記糊代７と後側面３との境界を挟んで直角に屈曲させて前記右側面６の側縁部裏面に前記糊代７を貼着し、前記舌片９の糊代部９ｂのみを後封止片２ａの裏面に貼着することによって、充填機に装填する際の前成形を施した偏平状態の仕掛シート１４に形成する（図５（Ｂ）参照）。
当該仕掛シート１４は、充填機において、相隣接する前記糊代７、後側面３、左側面４、前側面５、右側面６各々の境界を直角に屈曲させる態様で偏平状態から立体状態に展開されて直方体状の箱本体１５を形作る。その後、当該箱本体１５には、その開口部から内容物が充填される（図４参照）。
【００１９】
内容物の充填を終えた箱本体１５は、前記左側面４及び右側面６の端縁から延出する左右フラップ１２Ｌ，１２Ｒ，１３Ｌ，１３Ｒを開口部に向けて略直角に折ると共に、前記後側面３の上下端縁から延出する後封止片２ａ，２ｂ、及び前記前側面５の端縁から延出する前封止片１ａ，１ｂを、前記左右フラップ１２Ｌ，１２Ｒ，１３Ｌ，１３Ｒの上に向けて略直角に折り重ね、前記後封止片２ａ，２ｂの表面に、前記前封止部１ａ，１ｂの先端部を貼着して箱本体１５を封鎖する（図４参照）。
【００２０】
＜開封＞
上記の如く封鎖された包装用箱は、前記前側面５の上端部に設けられた前記突入部ｙを指先で押し入れ、更に、引き上げることによって、前記前側面５と上位の前記前封止片１ａとの境界に設けた開封用破断線８ａを分断し、当該前封止片１ａ諸共に後封止片２ａが後方へ起立することで開封される。
【００２１】
＜再封鎖＞
再封鎖は、上位の前記後封止片２ａの裏面側へ折り重ねられている前記舌片９の前記切欠部１１から前記差込部９ａの先端に指先を掛けて前記抜出用破断線１０を破断し、引き出された前記差込部９ａを箱本体１５の開口部へ差し入れることによって完了する。
当該例では、前記差込部９ａと後封止部２ａとの境界の両端部に切込み１６を備えると共に、前記左右フラップ１２Ｌ，１２Ｒの基部前縁に、前記切込み１６に掛かる干渉部１７を備える結果、一端差し入れた差込部９ａが、前記前側面５との隙間から容易に抜け出ない様にロックされる。
【符号の説明】
【００２２】
ｘ  開封線，ｙ  突入部，
１ａ，１ｂ  前封止片，
２ａ，２ｂ  後封止片，
３  後側面，４  左側面，５  前側面，６  右側面，７  糊代，
８ａ  開封用破断線（上），８ｂ  開封用破断線（下），
９  舌片，９ａ  差込部，９ｂ  糊代部，
１０  抜出用破断線，１１  切欠部，
１２Ｌ，１２Ｒ  フラップ（上），１３Ｌ，１３Ｒ  フラップ（下），
１４  仕掛シート，１５  箱本体，
１６  切込み，１７  干渉部，
【図１】
2014189296.tif 000003
【図２】
2014189296.tif 000004
【図３】
2014189296.tif 000005
【図４】
2014189296.tif 000006
【図５】
2014189296.tif 000007
【図６】
2014189296.tif 000008
【図７】
2014189296.tif 000009
【図８】
2014189296.tif 000010